(57)【特許請求の範囲】
【請求項１】
タイヤの少なくとも一方のサイド部の外表面の少なくも一部に、装飾部を備え、該装飾部が、タイヤ周方向に沿って延びる環状装飾部分と、該環状装飾部分のタイヤ半径方向内側でタイヤ周方向に互いに離間して配置された複数の断続装飾部分とを有し、
前記環状装飾部分は、タイヤ最大幅付近に配置されるとともに少なくともタイヤ半径方向の中央部分において明度が３０％以上であることを特徴とするタイヤ。
【請求項２】
前記環状装飾部分は、タイヤ最大幅付近に配置されるとともにタイヤ径方向外縁部分において明度が２０％以下である、請求項１に記載のタイヤ。
【請求項３】
前記環状装飾部分のタイヤ径方向外縁部分のタイヤ径方向幅を、前記環状装飾部分のタイヤ径方向外縁部分以外の部分のタイヤ径方向幅よりも小さくしてなる、請求項２に記載のタイヤ。
【請求項４】
前記環状装飾部分のタイヤ径方向の最大幅を、前記断続装飾部分のタイヤ径方向の最大幅よりも小さくしてなる、請求項１〜３の何れか一項に記載のタイヤ。
【請求項５】
前記断続装飾部分をタイヤ周方向に３個〜１００個設けてなる、請求項１〜４の何れか一項に記載のタイヤ。
【請求項６】
前記装飾部が、タイヤ周方向に隣接する前記断続装飾部分同士を繋ぐ連結装飾部分を含む、請求項１〜５の何れか一項に記載のタイヤ。
【請求項７】
前記連結装飾部分の、前記断続装飾部分とタイヤ径方向に隣接する部分を、前記連結装飾部分の他の部分よりもタイヤ径方向内側に凹ませてなる、請求項６に記載のタイヤ。
【請求項８】
前記断続装飾部分は、タイヤ径方向内側縁に向けて明度差４０％以上をもって明から暗へ徐々に変化する領域を備える、請求項１〜７の何れか一項に記載のタイヤ。
【請求項９】
前記断続装飾部分のタイヤ径方向内縁部分は、明度が２０％以下である、請求項１〜８の何れか一項に記載のタイヤ。
【請求項１０】
前記断続装飾部分のタイヤ径方向内縁部分のタイヤ半径方向の幅を、前記断続装飾部分のタイヤ径方向内縁部分以外の部分のタイヤ半径方向の幅よりも小さくしてなる、請求項９に記載のタイヤ。
【請求項１１】
前記環状装飾部分の明度と、前記断続装飾部分の明度をともに、５０％〜１００％としてなる、請求項１〜１０の何れか一項に記載のタイヤ。
【請求項１２】
前記断続装飾部分と該断続装飾部分に隣接する前記環状装飾部分とは、該断続装飾部分および環状装飾部分よりも明度の小さい中間装飾部分によって分断される、請求項１〜１１の何れか一項に記載のタイヤ。
【請求項１３】
前記断続装飾部分のタイヤ周方向の辺縁部のうち少なくとも一方は明度が６０％〜２０％に形成される、請求項１〜１２の何れか一項に記載のタイヤ。
【請求項１４】
前記装飾部のタイヤ径方向長さをｈとし、トレッドパターン端からリムライン部までのタイヤ径方向幅をＳとしたときに、ｈ／Ｓを２０％〜６０％としてなる、請求項１〜１３の何れか一項に記載のタイヤ。
【請求項１５】
前記環状装飾部分はタイヤ最大幅付近に配置されるとともに彩度が５％以上である、請求項１〜１４の何れか一項に記載のタイヤ。
【請求項１６】
前記環状装飾部分は、タイヤ周方向に沿って延びるとともに相互に色相の異なる複数の環状装飾帯を有する、請求項１〜１５の何れか一項に記載のタイヤ。
【発明の詳細な説明】
【技術分野】
【０００１】
この発明は、サイド部の外表面に、周囲のゴムとは異なる色の印刷による装飾部を具えたタイヤに関する。
【背景技術】
【０００２】
タイヤのサイドウォール部およびビード部のそれぞれの外表面を含むサイド部表面に、会社名、ブランド名、タイヤサイズおよび製造時期等を文字、図形、バーコードを含む記号、模様等からなる標章によって表示する従来技術では、摩擦等による標章の消滅を防ぐべく、全ての標章を、隆起部、窪み部およびリッジの少なくとも一つからなる凹凸面によって形成することが広く一般に行われている（例えば、特許文献１参照。）。
【０００３】
一方これとは別に、タイヤのサイド部表面に、周囲のゴムとは異なる色で環状の装飾帯を形成して、タイヤの装飾性を高めてその付加価値を上げるとともに、他のタイヤとの差別化を図る技術もある。
【先行技術文献】
【特許文献】
【０００４】
【特許文献１】特開２００４−２９９６６２号公報
【発明の概要】
【発明が解決しようとする課題】
【０００５】
ところで、近年、より大径のホイールに扁平のタイヤを装着するいわゆるインチアップが顧客のニーズとして高まっているが、バネ下重量増に伴う制動能力の低下や乗り心地性の悪化等の問題がある。
【０００６】
一方、タイヤサイド部の、ホイールスポークの径方向延長上に凹凸立体加工を施してインチアップ風の外観を創出する技術もあるが、実際にはタイヤとホイールの動バランス位置が合わないため、タイヤにこのような凹凸立体加工を施すことは現実的ではない。
【０００７】
それゆえ、この発明の目的は、タイヤサイズを変更することなしに錯視的にホイールを大きくでき、顧客の外観嗜好を満たすことができる新規なタイヤを提案することにある。
【課題を解決するための手段】
【０００８】
この発明は、上記課題を解決するためになされたものであり、この発明のタイヤは、タイヤの少なくとも一方のサイド部の外表面の少なくも一部に、装飾部を備え、該装飾部が、タイヤ周方向に沿って延びる環状装飾部分と、該環状装飾部分のタイヤ半径方向内側でタイヤ周方向に互いに離間して配置された複数の断続装飾部分とを有し、前記環状装飾部分は、タイヤ最大幅付近に配置されるとともに少なくともタイヤ半径方向の中央部分において明度が３０％以上であることを特徴とするものである。
【０００９】
かかる構成になるタイヤによれば、看者に対して、環状装飾部分によってホイールのフランジ部に類似した視覚効果を与えることができるとともに、該環状装飾部分の半径方向内側に配置された複数の断続装飾部分によってホイールのスポーク部に類似した視覚効果を与えることができるので、装飾部をホイールの一部であると看者に錯視させることができ、タイヤサイズを変更することなくインチアップ風の外観を創出することができる。
【００１１】
また、この発明の空気入りタイヤにあっては、前記環状装飾部分は、タイヤ最大幅付近に配置されるとともにタイヤ径方向外縁部分において明度が２０％以下であることが好ましい。
【００１２】
さらに、この発明の空気入りタイヤにあっては、前記環状装飾部分のタイヤ径方向外縁部分のタイヤ径方向幅を、前記環状装飾部分のタイヤ径方向外縁部分以外の部分のタイヤ径方向幅よりも小さくすることが好ましい。
【００１３】
さらに、この発明の空気入りタイヤにあっては、前記環状装飾部分のタイヤ径方向の最大幅を、前記断続装飾部分のタイヤ径方向の最大幅よりも小さくすることが好ましい。
【００１４】
さらに、この発明の空気入りタイヤにあっては、前記断続装飾部分をタイヤ周方向に３個〜１００個設けてなることが好ましい。
【００１５】
さらに、この発明の空気入りタイヤにあっては、前記装飾部が、タイヤ周方向に隣接する前記断続装飾部分同士を繋ぐ連結装飾部分を含むことが好ましい。
【００１６】
さらに、この発明の空気入りタイヤにあっては、前記連結装飾部分の、前記断続装飾部分とタイヤ径方向に隣接する部分を、前記連結装飾部分の他の部分よりもタイヤ径方向内側に凹ませることが好ましい。
【００１７】
さらに、この発明の空気入りタイヤにあっては、前記断続装飾部分は、タイヤ径方向内側縁に向けて明度差４０％以上をもって明から暗へ徐々に変化する領域を備えることが好ましい。
【００１８】
さらに、この発明の空気入りタイヤにあっては、前記断続装飾部分のタイヤ径方向内縁部分は、明度が２０％以下であることが好ましい。
【００１９】
さらに、この発明の空気入りタイヤにあっては、前記断続装飾部分のタイヤ径方向内縁部分のタイヤ半径方向の幅を、前記断続装飾部分のタイヤ径方向内縁部分以外の部分のタイヤ半径方向の幅よりも小さくすることが好ましい。
【００２０】
さらに、この発明の空気入りタイヤにあっては、前記環状装飾部分の明度と、前記断続装飾部分の明度をともに、５０％〜１００％とすることが好ましい。
【００２１】
さらに、この発明の空気入りタイヤにあっては、前記断続装飾部分と該断続装飾部分に隣接する前記環状装飾部分とは、該断続装飾部分および環状装飾部分よりも明度の小さい中間装飾部分によって分断されることが好ましい。
【００２２】
さらに、この発明の空気入りタイヤにあっては、前記断続装飾部分のタイヤ周方向の辺縁部のうち少なくとも一方は明度が６０％〜２０％に形成されることが好ましい。
【００２３】
さらに、この発明の空気入りタイヤにあっては、前記装飾部のタイヤ径方向長さをｈとし、トレッドパターン端からリムライン部までのタイヤ径方向幅をＳとしたときに、ｈ／Ｓを２０％〜６０％とすることが好ましい。
【００２４】
さらに、この発明の空気入りタイヤにあっては、前記環状装飾部分はタイヤ最大幅付近に配置されるとともに彩度が５％以上であることが好ましい。
【００２５】
しかも、この発明の空気入りタイヤにあっては、前記環状装飾部分は、タイヤ周方向に沿って延びるとともに相互に色相の異なる複数の環状装飾帯を有することが好ましい。
【発明の効果】
【００２６】
この発明によれば、タイヤサイズを変更することなしに錯視的にホイールを大きくでき、顧客の外観嗜好を満たすことができる新規なタイヤを提案することができる。
【図面の簡単な説明】
【００２７】
【図１】この発明にしたがう一実施形態の空気入りタイヤをリム組みした状態で示すタイヤ幅方向断面図（半図）である。
【図２】図１のタイヤのサイド部を示す側面図である。
【図３】この発明にしたがう他の実施形態の空気入りタイヤをリム組みした状態で示す部分側面図である。
【図４】図１に示した構成を有する実施例１のタイヤをリム組みした状態で示す側面図である。
【図５】図１に示した構成を有する実施例２のタイヤをリム組みした状態で示す側面図である。
【図６】図１に示した構成を有する実施例３のタイヤをリム組みした状態で示す側面図である。
【図７】図１に示した構成を有する実施例４のタイヤをリム組みした状態で示す側面図である。
【図８】図１に示した構成を有する実施例５のタイヤをリム組みした状態で示す側面図である。
【図９】図１に示した構成を有する実施例６のタイヤをリム組みした状態で示す側面図である。
【図１０】図１に示した構成を有する実施例７のタイヤをリム組みした状態で示す側面図である。
【図１１】図１に示した構成を有する実施例８のタイヤをリム組みした状態で示す側面図である。
【図１２】図１に示した構成を有する実施例９のタイヤをリム組みした状態で示す側面図である。
【図１３】図１に示した構成を有する実施例１０のタイヤをリム組みした状態で示す側面図である。
【発明を実施するための形態】
【００２８】
以下、この発明にしたがう実施の形態について図面に基づき詳細に説明する。
【００２９】
この実施形態の空気入りタイヤ１は、図１に示すような、一対のビード部３と、該ビード部３のタイヤ径方向に延びる一対のサイドウォール部５と、これらのサイドウォール部５間を跨るトレッド部７とを備えるとともに、タイヤ内部に、これらビード部３、サイドウォール部５及びトレッド部７に亘ってトロイド状に延びるとともに、その端部がそれぞれ各ビード部３に埋設したビードコア９の周りに折り返されたカーカス層１１と、カーカス層１１のタイヤ径方向外側に配置されたベルト層１３とを備える。なお、この発明は、中実構造のソリッドタイヤ（図示省略）に対しても適用することできる。
【００３０】
図１に示すように、サイド部１５は、上記サイドウォール部５及び上記ビード部３を含み、より詳細には、トレッド踏面のタイヤ幅方向外側端縁からビード部３のリム嵌合部に至る範囲をいうものとする。
ここで「トレッド踏面」とは、タイヤが空気入りタイヤであるときは、空気入りタイヤを、正規リムに組み付け、正規内圧を充填し、正規荷重を加えて平坦な面に押し付けたときのトレッド部が上記平坦な面に接触する面を指すものとする。そして、正規リムとは、ＪＡＴＭＡに規定される「標準リム」、ＴＲＡに規定される「Design Rim」、あるいはＥＴＲＴＯに規定される「Measuring Rim」をいう。また、正規内圧とは、ＪＡＴＭＡに規定される「最高空気圧」、ＴＲＡに規定される「TIRE LOAD LIMITS AT VARIOUS COLD INFLATION PRESSURES」の最大値、あるいはＥＴＲＴＯに規定される「INFLATION PRESSURES」をいう。また、正規荷重とは、ＪＡＴＭＡに規定される「最大負荷能力」、ＴＲＡに規定される「TIRE LOAD LIMITS AT VARIOUS COLD INFLATION PRESSURES」の最大値、あるいはＥＴＲＴＯに規定される「LOAD CAPACITY」をいう。なお、図中符号Ｒはリムである。
【００３１】
図２に示すように、タイヤ１は、少なくとも一方（この例では一方）のサイド部１５の外表面の少なくも一部の領域に、印刷により形成された装飾部１７を備える。装飾部１７を形成するにあっては、インクジェット印刷、凸版印刷、凹版印刷、平版印刷等の既知の印刷技法を用いることができる。装飾部１７はタイヤ周方向に沿って実質連続して延びる環状装飾部分１８と、該環状装飾部分１８の半径方向内側でタイヤ周方向に互いに離間して配置された複数の断続装飾部分１９とを有する。
【００３２】
環状装飾部分１８は、タイヤ最大幅付近に配置されるとともにタイヤ半径方向の中央部分において明度を３０％以上とすることが好ましい。また、環状装飾部分１８は、タイヤ径方向外縁部分において明度を２０％以下とすることが好ましい。そして、タイヤ径方向外縁部分のタイヤ径方向の幅を、タイヤ径方向外縁部分以外の部分のタイヤ径方向の幅よりも小さくすることが好ましい。さらに、環状装飾部分１８は、彩度を５％以上とすることが好ましい。
なお、「タイヤ最大幅付近」とは、タイヤ１を正規リムに組み付け、正規内圧を充填し、荷重を加えない状態においてタイヤ最大幅位置からタイヤ径方向の内外にタイヤ断面高さの２０％の範囲を指す。「タイヤ断面高さ」とは、上記規格に規定されるとおり、ビードベースからタイヤ径方向最外点までのタイヤ径方向の距離を指す。
そして、この明細書において明度、彩度及び色相とは、ＨＳＶモデル（ＨＳＶ色空間ともいう。）において定義されるものを指す。また、明度、彩度及び色相は、以下の方法で測定することができる。すなわち、分光測色計（例えば、コニカミノルタ社製）を用いて、装飾部の明度、彩度及び色相を他系統（例えばLａｂ色空間）で測定した後、必要なソフトウエア（例えば、ｐｈｏｔｏｓｈｏｐ（登録商標））を用いてＨＳＶ系統に変換することである。なお、色見本を用意あるいは作成して同定することによって明度、彩度及び色相を測定してもよく、すなわち、パーソナルコンピュータ等からプリンタへ紙出力することにより、近しい色見本を多数作成しこの色見本と装飾部１７とを比較することで簡易的な同定を行ってもよい。
【００３３】
断続装飾部分１９は、タイヤ周方向に３個〜１００個（この例では７個）設けることが好ましい。とくに、断続装飾部分１９のタイヤ周方向の長さは２０ｍｍ以上とすることが好ましい。なお、断続装飾部分１９は、タイヤ径方向内側に向けて明度差４０％以上をもって明から暗へと徐々に変化させる、すなわちグラデーションを施すことが好ましい。また、断続装飾部分１９のタイヤ径方向内縁部分は、明度を２０％以下とすることが好ましい。そして、断続装飾部分１９のタイヤ径方向内縁部分のタイヤ径方向幅を、断続装飾部分１９の他の部分のタイヤ径方向の幅よりも小さくすることが好ましい。また、断続装飾部分１９のタイヤ径方向の辺縁部のうち少なくとも一方は明度を６０％〜２０％の範囲内とすることが好ましい。
【００３４】
ところで、環状装飾部分１８のタイヤ径方向の最大幅を、断続装飾部分１９のタイヤ径方向の最大幅よりも小さくすることが好ましい。また、環状装飾部分１８の最も明度が小さい部分の明度と、断続装飾部分１９の最も明度が小さい部分の明度をともに、５０％〜１００％とすることが好ましい。
【００３５】
この実施形態にあっては、装飾部１７はさらに、タイヤ周方向に隣り合う断続装飾部分１９間を繋ぐ連結装飾部分２１を有しており、該連結装飾部分２１は、環状装飾部分１８と同様の色構成を有する。ここで、図２のように、連結装飾部分２１の、断続装飾部部分１９とタイヤ径方向に隣接する部分を、連結装飾部分２１の他の部分よりもタイヤ径方向内側に凹ませることが好ましい。
なお、隣接する断続装飾部分１９同士がタイヤ周方向に完全に分離せず、これらの断続装飾部分１９の間に連結装飾部分２１を形成することもできる。
【００３６】
また、この実施形態にあっては、断続装飾部分１９と、該断続装飾部分１９に隣接する環状装飾部分１８とは、これらの断続装飾部分１９および環状装飾部分１８よりも明度の小さい、環状の中間装飾部分２３によって分断されている。
【００３７】
また、この実施形態にあっては、タイヤ１を正規リムに組み付け、正規内圧を充填し、荷重を加えない状態における、断続装飾部分１９のタイヤ径方向長さをｈ１とし、装飾部１７のタイヤ径方向長さをｈとしたとき、ｈ１／ｈを３０％〜９０％とすることが好ましい。さらに、トレッドパターン端からリムライン部までのタイヤ径方向幅をＳとしたときに、ｈ／Ｓを２０％〜６０％とすることが好ましい。
なお、装飾部１７が連結装飾部２１を含む場合には、上記ｈ１は、断続装飾部分１９と連結装飾部２１を合わせた領域の、タイヤ径方向長さとする。
【００３８】
かかる構成になるタイヤ１によれば、看者に対して、環状装飾部分１８によってホイールのフランジ部に類似した視覚効果を与えることができるとともに、該環状装飾部分１８の半径方向内側に配置された複数の断続装飾部分１９によってホイールのスポーク部に類似した視覚効果を与えることができるので、装飾部１７をホイールの一部であると看者に錯視させることができ、タイヤサイズを変更することなくインチアップ風の外観を創出することができる。
【００３９】
また、この実施形態では、環状装飾部分１８をタイヤ最大幅付近に配置するとともにタイヤ半径方向の中央部分において明度を３０％以上とすることが好ましいと説明したが、その理由は、環状装飾部分１８によってホイールのフランジ部と錯視させる視覚効果を高めることができるからである。
【００４０】
さらに、この実施形態では、環状装飾部分１８のタイヤ径方向外縁部分において明度を２０％以下と暗い色に設定することが好ましいと説明したが、その理由は、該外縁部分をホイールのフランジ部の影のように錯視させて立体感を付与することができ、より本物のホイールに近い外観を創出することができるからである。
【００４１】
さらに、この実施形態では、環状装飾部分１８のタイヤ径方向外縁部分のタイヤ径方向の幅を、環状装飾部分１８のタイヤ径方向外縁部分以外の部分のタイヤ径方向の幅よりも小さくすることが好ましいと説明したが、その理由は、明度が高く、視認性の高い、環状装飾部分１８のタイヤ径方向外縁部分以外の部分のタイヤ径方向の幅を大きくとることで、環状装飾部分１８の視認性を向上できるからである。
【００４２】
さらに、この実施形態では、環状装飾部分１８のタイヤ径方向の最大幅を、断続装飾部分１９のタイヤ径方向の最大幅よりも小さくすることが好ましいと説明したが、その理由は、タイヤ周方向に延在する環状装飾部分１８と、タイヤ周方向に離間する断続装飾部分１９との、大きさのバランスをとることによって、看者への違和感を取り除くことができるからである。
【００４３】
さらに、この実施形態では、断続装飾部分１９をタイヤ周方向に３個〜１００個設けることが好ましいと説明したが、その理由は、断続装飾部の個数が３個未満または１００個を超えると、そのようなスポーク個数のホイールは実在せず、断続装飾部分１９をホイールのスポーク部と錯視させる視覚効果が十分に得られないからである。
【００４４】
さらに、この実施形態では、前記装飾部１７が、タイヤ周方向に隣接する断続装飾部分１９同士を繋ぐ連結装飾部分２１を含むことが好ましいと説明したが、その理由は、連結装飾部分２１によって断続装飾部１９を際立たせることで、より大径のホイールを装着しているように錯視させることができるからである。
【００４５】
さらに、この実施形態では、連結装飾部分２１の、断続装飾部分１９とタイヤ径方向に隣接する部分を、連結装飾部分２１の他の部分よりもタイヤ径方向内側に凹ませることが好ましいと説明したが、その理由は、環状装飾部分１８と断続装飾部分１９とを立体的に見せることで、より大径のホイールを装着しているように錯視させることができるからである。
【００４６】
さらに、この実施形態では、断続装飾部分１９を、タイヤ径方向内側に向けて明度差４０％以上をもって明から暗へ徐々に変化させることが好ましいと説明したが、その理由は、装飾部１７と実際のホイールとは意匠が異なるため、装飾部１７は実際のホイールの外縁部から独立して見えるように形成することが好ましいが、明るさを徐々に変化させることで装飾部１７を自然にホイールから独立して見せることができるからである。
【００４７】
さらに、この実施形態では、断続装飾部分１９のタイヤ径方向内縁部分の明度を２０％以下とすることが好ましいと説明したが、その理由は、装飾部１７と実際のホイールとは意匠が異なるため、装飾部１７は実際のホイールの外縁部から独立して見えるように形成することが好ましいが、断続装飾部分１９のタイヤ径方向内縁部分の明度を２０％以下と暗い色に設定することで装飾部１７をホイールから独立して見せることができるからである。
【００４８】
さらに、この実施形態では、断続装飾部分１９のタイヤ径方向内縁部分のタイヤ径方向幅を、断続装飾部分１９とタイヤ径方向内縁部分以外の部分のタイヤ径方向幅よりも小さくすることが好ましいと説明したが、その理由は、明度が高く視認性の高い、断続装飾部分１９のタイヤ径方向内縁部分以外の部分のタイヤ径方向の幅を大きくとることで、断続装飾部分１９の視認性を向上できるからである。
【００４９】
さらに、この実施形態では、環状装飾部分１８の最も明度が小さい部分の明度と、断続装飾部分１９の最も明度が小さい部分の明度をともに、５０％〜１００％とすることが好ましいと説明したが、その理由は、環状装飾部分１８と断続装飾部分１９との明度を、サイドウォールゴムの略黒色の地色の明度と異なるものとすることで、環状装飾部分１８と断続装飾部分１９の視認性を向上させることができるからである。
【００５０】
さらに、この実施形態では、断続装飾部分１９と、該断続装飾部分１９に隣接する環状装飾部分１８とを、該断続装飾部分１９および環状装飾部分１８よりも明度の小さい中間装飾部分２３によって分断することが好ましいと説明したが、その理由は、該中間装飾部分２３を環状装飾部分１８の影のように見せることができ、装飾部１７に立体感を付与して、より本物のホイールに近い外観を創出することができるからである。
【００５１】
さらに、この実施形態では、断続装飾部分１９のタイヤ径方向の辺縁部のうち少なくとも一方において明度を６０％〜２０％に形成することが好ましいと説明したが、その理由は、断続装飾部分１９の辺縁部を影のようのように見せることができ、装飾部１７に立体感を付与して、より本物のホイールに近い外観を創出することができるからである。
【００５２】
さらに、この実施形態では、環状装飾部分１８の彩度を５％以上とすることが好ましいと説明したが、その理由は、このようにすることで、擬似ホイール部の視認性を高めることができるからである。
【００５３】
さらに、この実施形態では、タイヤ１を正規リムに組み付け、正規内圧を充填し、荷重を加えない状態において、断続装飾部分１９のタイヤ径方向長さｈ１とし、装飾部１７のタイヤ径方向長さをｈとしたとき、ｈ１／ｈを３０％〜９０％とすることが好ましいと説明したが、その理由は、装飾部１７をホイールと錯視させる視覚効果をより確実に得ることができるからである。
【００５４】
また、この発明において、装飾部１７はサイド部１５の少なくともトレッドパターン端からリムライン部（リムフランジ部にほぼ対応する部分）の外側１０〜１５ｍｍまでの範囲に設けないことが好ましい。リムライン付近には各規格（ＪＡＴＭＡ、ＥＴＲＴＯなど）に定められた表示（タイヤサイズなど）を設ける必要があるが、各規格で指定された位置があり、最大幅より内側に表示を求められるケースが多いため、リムライン外側１０〜１５ｍｍ程度には表示用のスペースが必要となる。従って該表示の視認性を高める観点からリムライン部の外側１０〜１５ｍｍの範囲には装飾部１７を設けない方が好ましい。
【００５５】
そして、この実施形態にあっては、トレッドパターン端からリムライン部までのタイヤ径方向幅をＳとしたときに、ｈ／Ｓを２０％〜６０％とすることが好ましいと説明したが、その理由は、環状装飾部分１８と断続装飾部分１９の、タイヤ半径方向の幅を確保して、視認性を確保しつつ、タイヤ最大幅位置付近に環状装飾部分１８のタイヤ径方向外端を配置することで、タイヤの最大幅位置とリムフランジに見える位置を一致させて、看者に違和感を与えることなく、大径のホイールを装着しているように錯視させることができるからである。
すなわち、ｈ／Ｓが２０％未満の場合には、環状装飾部分１８と断続装飾部分１９の、タイヤ半径方向の幅を確保できずに、視認性を確保できないおそれがあり、また、ｈ／Ｓが６０％を超える場合には、タイヤの最大幅位置とリムフランジに見える位置が一致しないことで、看者に違和感を与えるおそれがある。なお、上述したリムライン部の外側１５ｍｍの範囲に装飾部を設けない場合には、ｈ／Ｓを４０％以下とすることが好ましい。
【００５６】
図３は、この発明にしたがう他の実施形態のタイヤのサイド部を示す部分側面図である。なお、前述の実施形態のタイヤにおいて説明した要素と同様の要素には同じ符号を付し、その詳細な説明は省略する。
【００５７】
この実施形態のタイヤは、環状装飾部分１８が、タイヤ周方向に沿って延びる相互に色相の異なる複数の環状装飾帯を有する点で、図２に示した装飾部１７とは異なる。この例では、環状装飾部１８は、互いに色相の異なる３本の環状装飾帯１８ａ，１８ｂ，１８ｃを有する。
【００５８】
このように、環状装飾部分１８を複数の環状装飾帯１８ａ，１８ｂ，１８ｃから構成することで、例えば３種類の色相を用いて三色旗に見立てた擬似フランジ部を作ることができる。これにより、赤白青の色組でフランス車向け、赤白緑の色組でイタリア車向けというように顧客の要求に応じた演出を施すことができる。
【００５９】
なお、上述したところは、この発明の一部に過ぎず、この発明は種々の変更、改良が可能である。例えば、装飾部１７の色（色相）は、例えば、タイヤを装着する車体の色にほぼ合わせてもよく、これによれば、車体と一体的なデザインを創出することができる。
【実施例】
【００６０】
この発明にしたがって、タイヤのサイド部表面に環状装飾部分１８および断続装飾部分１９からなる装飾部１７を形成して、インチアップしたような錯視効果が得られるか否か試験を行ったので以下説明する。
【００６１】
ここで、実施例１のタイヤは、タイヤサイズが１９５／６５Ｒ１５であり、サイド部表面に。図２に示す装飾部１７を具えるものである。実施例１のタイヤにおいて、環状装飾部分１８の幅（タイヤ径方向長さ）は６ｍｍ、明度は８０％である。環状装飾部分１８のタイヤ径方向外縁部分の幅は１ｍｍ、明度は１０％である。断続装飾部分１９は、幅が６ｍｍであり、タイヤ径方向内側縁に向かうに連れて明度が８０％から漸減している。断続装飾部分のタイヤ径方向内縁部分の幅は１ｍｍ、明度は２０％である（明度差６０％）。また、連結装飾部分２１は、断続装飾部分のタイヤ径方向外側の３ｍｍの領域を、周方向に相互に繋いでおり、明度は８０％である。中間装飾部分２３の明度は３０％である。
【００６２】
実施例２のタイヤは、環状装飾部分１８においてタイヤ径方向の中央部分の明度が２０％であり、その他の構成は実施例１のタイヤと同じである。
【００６３】
実施例３のタイヤは、環状装飾部分１８のタイヤ径方向外縁部分において明度が８０％であり、その他の構成は実施例１のタイヤと同じである。
【００６４】
実施例４のタイヤは、断続装飾部分１９の明度がタイヤ径方向内側に向かうに連れて８０％から４０％（明度差４０％）と漸減している。
【００６５】
実施例５のタイヤは、断続装飾部分１９の明度がタイヤ径方向内側に向かうに連れて８０％から６０％（明度差２０％）と漸減している。
【００６６】
実施例６のタイヤは、断続装飾部分１９と該断続装飾部分１９に隣接する中間装飾部分２３の明度が８０％であり、その他の構成において実施例１のタイヤと同じである。
【００６７】
実施例７のタイヤは、断続装飾部分のタイヤ径方向の辺縁部の明度が０％であり、その他の構成において実施例１のタイヤと同じである。
【００６８】
実施例８のタイヤは、断続装飾部分のタイヤ周方向の辺縁部の明度が２０％であり、その他の構成において実施例１のタイヤと同じである。
【００６９】
実施例９のタイヤは、環状装飾部分１８の彩度が２％であり、その他の構成において実施例１のタイヤと同じである。
【００７０】
実施例１０のタイヤは、タイヤサイズが１９５／６５Ｒ１５であり、サイド部表面に図３に示した装飾部１７を具えるものである。実施例１０のタイヤにおいて、環状装飾部分１８の幅は６ｍｍであり、該環状装飾部分１８は、タイヤ径方向内側の環状装飾帯（緑：色相１２０°、明度７０％、彩度１００％）１８ａ、タイヤ径方向外側の環状装飾帯（赤：色相０°、明度１００％、彩度１００％）１８ｂおよび中間の環状装飾帯（白：明度１００％、彩度０％）１８ｃからなる。環状装飾部分１８のタイヤ径方向外縁部分の明度は１０％である。その他の構成は実施例１のタイヤと同じである。
【００７１】
試験は、上記各供試タイヤをサイズ６Ｊ×１５のリムに装着し、内部にＪＡＴＭＡ規格に準拠した最大内圧（２４０ｋＰａ）を充填し、３０人の看者が目視により行った。その結果を表１に示す。表中の結果は、インチアップしたような錯視効果が得られたという意見を得られた看者が１０人未満の場合には、「Ｃ」とし、インチアップしたような錯視効果が得られたという意見が得られた看者が１０人以上２０人未満の場合には「Ｂ」とし、インチアップしたような錯視効果が得られたという意見が得られた看者が２０人以上の場合には「Ａ」としたものである。
【００７２】
【表１】
0005902486.tif 000002
【００７３】
表１の結果からも分かるように、この発明の適用により、装飾部によってインチアップしたような錯視効果を得ることができる。
【産業上の利用可能性】
【００７４】
かくして、この発明により、タイヤサイズを変更することなしに錯視的にホイールを大きくでき、顧客の外観嗜好を満たすことができる新規なタイヤを提案することが可能となった。
【符号の説明】
【００７５】
１  タイヤ
３  ビード部
５  サイドウォール部
７  トレッド部
９  ビードコア
１１  カーカス層
１３  ベルト層
１５  サイド部
１７  装飾部
１８  環状装飾部分
１９  断続装飾部分
２１  連結装飾部分
２３  中間装飾部分
ｍ  リムライン
Ｒ  リム
【図１】
0005902486.tif 000003
【図２】
0005902486.tif 000004
【図３】
0005902486.tif 000005
【図４】
0005902486.tif 000006
【図５】
0005902486.tif 000007
【図６】
0005902486.tif 000008
【図７】
0005902486.tif 000009
【図８】
0005902486.tif 000010
【図９】
0005902486.tif 000011
【図１０】
0005902486.tif 000012
【図１１】
0005902486.tif 000013
【図１２】
0005902486.tif 000014
【図１３】
0005902486.tif 000015